(57)【要約】【課題】インクジェット記録装置において、日付、時刻単位に置き換え後ドットパターンの一覧表示を可能にすることで誤入力、誤印字の要因を低減する。【解決手段】被印字物に印字内容を印字するインクを噴出するノズルが備わるインクジェット記録装置において、前記インクジェット記録装置はオペレータが任意のドットパターンを作成できる機能を有し、時計機能を有し、任意の日付、時刻に対する置き換えとして前記オペレータ作成のドットパターンを印字できる機能を有するものにおいて、置き換えるオペレータ作成のドットパターンを日付、時刻単位で一覧表示する機能を有する。【選択図】図１
2007181958.tif 000002
【特許請求の範囲】
【請求項１】
被印字物に印字内容を印字するインクを噴出するノズルが備わるインクジェット記録装置において、前記インクジェット記録装置はオペレータが任意のドットパターンを作成できる機能を有し、時計機能を有し、任意の日付、時刻に対する置き換えとして前記オペレータ作成のドットパターンを印字できる機能を有するものにおいて、置き換えるオペレータ作成のドットパターンを日付、時刻単位で一覧表示する機能を有することを特徴とするインクジェット記録装置。
【請求項２】
請求項１に記載したものにおいて、日付、時刻単位で表示する際、一つの画面にて表すことを特徴とするインクジェット記録装置。
【請求項３】
請求項１に記載したものにおいて、日付、時刻単位で表示する際、複数の画面に分割して表すことを特徴とするインクジェット記録装置。
【請求項４】
請求項１に記載したものにおいて、日付、時刻単位で表示する際、オペレータ作成のドットパターンを縮小して画面に表すことを特徴とするインクジェット記録装置。
【発明の詳細な説明】
【技術分野】
【０００１】
本発明は、生産ラインで搬送される製品（被印字物）にノズルより噴出するインクで、文字、数字、記号、図形、バーコード等を印字するインクジェット記録装置に関する。
【背景技術】
【０００２】
従来のインクジェット記録装置において、時計機能を有するもの、オペレータが任意のドットパターンを作成できる機能を有するもの、および任意の日付、時刻に対する置き換えとして前記オペレータ作成のドットパターンを印字する機能を有するものは多いが、その置き換えるオペレータ作成のドットパターンを日付、時刻単位で一覧表示する機能を有するものはない。
【０００３】
【特許文献１】特開２００１−６３０２６号公報
【発明の開示】
【発明が解決しようとする課題】
【０００４】
任意の日付、時刻をオペレータ作成のドットパターンに置き換える処理において、従来のインクジェット記録装置では、現在日付、時刻を基とする置き換え後のドットパターンしか表示できない。なお「現在日付、時刻を基にする」には、インクジェット記録装置の時計機能で指し示す現在の日付、時刻のみならず、オペレータが定義する現在日付、時刻より一定時間未来の日付、時刻、あるいは一定時間過去の日付、時刻も含める。
【０００５】
そのため、将来印字する置き換え後のドットパターンの入力が誤っていたとしても、その日付、時刻にならないと表示、印字されないため、誤りに気づくことは難しい。
【０００６】
本発明の目的は日付、時刻単位に置き換え後ドットパターンの一覧表示を可能にすることで誤入力、誤印字の要因を低減することにある。
【課題を解決するための手段】
【０００７】
従来においてはドットパターンとドットパターンのコードを同一画面に並べて表示するというのは、表示部の性能上不可能であると考えていた。しかし、ドットパターンを一定法則に従い間引きをして表示することでこの問題を解決し、ドットパターンとコードを同一画面に並べての表示が可能となった。このため、置き換え後のドットパターンを日付、時刻単位で一覧表示する機能を提供することで誤入力、誤印字を低減させる。
【発明の効果】
【０００８】
日付、時刻単位に置き換え後ドットパターンの一覧表示を可能にすることで誤入力、誤印字の要因を低減できる。
【発明を実施するための最良の形態】
【０００９】
以下、本発明の実施形態を示す図面に沿って本発明を詳しく説明する。
【００１０】
図１は、本発明の実施形態に係るインクジェット記録装置の全体ブロック図である。図２は、本発明の実施形態に係るインクジェット記録装置の主要部を概略的に示す図である。
【００１１】
まず、インクジェット記録装置の主要部に係る説明からする。ノズル１にてインクを粒子化するための励振電圧を印加することにより、図２に示すように、ノズル１はインク粒子を噴出する。噴出されたインク粒子は、飛行して搬送ラインのベルト２に載って流れる被印字物３に印字される。ノズル１よりインク粒子を噴出するタイミングは印字物検出センサー４および印字物検知部５により制御される。インク粒子が帯電電極６はノズル１の直ぐ先に備えられ、ノズル１から噴出したインク粒子に電荷を帯びさせる。帯電電極６に印加される電圧は文字信号発生部７によって印字内容に応じて調整される。電荷を帯びたインク粒子は帯電電極６の直ぐ先に備えられる偏向電極８でインク粒子毎に飛行方向が偏向されるので、被印字物３にインク粒子の文字ないし記号等が印字されるのである。
【００１２】
ノズル１にはインク容器９内のインクがインク供給管１０を通じて供給ポンプ２０により送られるのである。ノズル１から噴出されたインク粒子で印字に使われないものは、ガター２１に受けられ、回収管２２を通じて回収ポンプ２３によりインク容器９に戻されるのである。
【００１３】
図１に示すように、印字物検知部５、文字信号発生部７、入力部４０、表示部５０、印字内容反映部６０は制御部３０に接続される。入力部４０においてオペレータの所望する印字内容を入力し、制御部３０にて一時保持する。また、入力内容の確認のため、表示部５０にて入力内容を表示する。印字内容を印字内容反映部６０によりインク粒子毎のデータに変換、印字内容記憶部６１に保持する。印字内容記憶部６１は文字信号発生部７と接続している。
【００１４】
印字物検知部５から被印字物３の到来の信号が制御部３０に入ると、制御部３０は文字信号発生部７に対して印字を指示する。文字信号発生部７は印字内容記憶部６１の印字データに基づいて帯電電極６の印加電圧を加減する。こうして上記の如くインク粒子が飛行、偏向し印字が行われるのである。
【００１５】
また、インクジェット記録装置の制御部３０のうち、ＲＯＭ３２はインクジェット記録装置の制御を行う制御プログラムを格納する。ＣＰＵ３１は制御プログラムを実行し、インクジェット記録装置の各種機器の動作を制御する。ＲＡＭ３３は制御プログラム実行時、一時的に使用するデータを保持する。ＥＥＰＲＯＭ３４は不揮発性の記録媒体であり、文字、記号等の印字パターンを記録する。
【００１６】
図３はオペレータ作成のドットパターンの一例である。オペレータが作成した複数のドットパターンにはユニークな番号が割り付けられる。本実施例ではオペレータ作成のドットパターンとして01番に「Ａ」、02番に「Ｂ」、03番に「Ｃ」、04番に「Ｄ」、05番に「Ｅ」、06番に「Ｆ」と定義している。
【００１７】
図４は印字内容をドットパターンにて表示する画面の一例である。本実施例では画面上部にオペレータが入力した文字、画面下部に入力内容をドットイメージにて表したものが表示される。ここではインクジェット記録装置の時計機能、および任意の日付、時刻に対する置き換えとしてオペレータ作成のドットパターンを印字できる機能を用いている。現在の日付が２００５年９月１９日の場合、上段の反転表示「日日」を「ＤＡ」に置き換えている。このように、印字内容をドットパターンにて表示する画面においては、現在日付、時刻を基にして作成された印字内容のドットパターンのみ表示するため、例えば２００５年９月２９日等、現在日付、時刻以外のドットパターンは表すことができない。
【００１８】
また、図５は従来の日の置き換え規則設定画面の一例である。この画面においてはオペレータ作成のドットパターンは表示されず、番号しか一覧表示されない。このため、オペレータはどのようなドットパターンが入力されたのか視認しづらく、このことが誤入力、誤印字の要因の一つとなっている。
【００１９】
この問題を解決する手段として、置き換え後ドットパターンの一覧表示する機能をオペレータに提供することとした。
【００２０】
置き換え規則設定後のドットパターンを一覧表示したものが図６である。入力部４０にてオペレータより置き換えドットパターンの一覧表示要求を受ける。ＣＰＵ３１にて置き換え後ドットパターンをＥＥＰＲＯＭ３４から読み込み、その結果をＲＡＭ３３に書き込む。この情報を基に表示部５０にて図６の如く日、番号、ドットパターンの順に並べ、一覧表示を行う。これにより日に割り付けたドットパターンが一目瞭然に理解できるのである。
【００２１】
また、オペレータ作成のドットパターンが大きい場合、図７上部の如く一つのドットパターンに対して大きな表示領域を確保しなければならないため、結果として一つの画面に入るドットパターンとドットパターンのコード数が少なくなってしまう。このことは一画面に表示することができる置き換え後ドットパターンが少なくなり視認性が悪くなる、画面表示において多量の面数を必要とするため画面切り換え操作が増大し操作性が悪くなるという問題がある。
【００２２】
この問題を解決するため、図７下部の如くドットパターンを一定の法則に従い間引きし縮小して表示することとする。ドットパターンの間引き縮小の一例を図８にて示す。本実施例では、縦方向、横方向それぞれ偶数のラインを削除し表現している。これにより縮小前に比べ１／４の表示領域を確保すればよいことになる。これにより一画面に表示することができる置き換え後ドットパターンが多くなり、視認性、操作性の低下をある程度防ぐことができる。なお、本実施例は縮小の一手段である。縮小して表示ができる、という結果が得られるのであれば本実施例の縮小手段に拘るものではない。
【００２３】
本実施例では日のみ表したが、年、月、時、分、秒における置き換え設定においても同様の一覧表示を行うことが可能である。
【００２４】
これにより、現在の日付、時刻以外の置き換え後ドットパターンが確認し易くなり、誤入力、誤印字の要因を低減することができる。
【００２５】
なお、上記の実施形態ではコンティニュアス方式のインクジェット記録装置につき説明したが、ドロップ・オンデマンド方式のインクジェット記録装置でも同様に可能である。
【図面の簡単な説明】
【００２６】
【図１】本発明の一実施形態に係るインクジェット記録装置の全体ブロック図である。
【図２】本発明の一実施形態に係るインクジェット記録装置の主要部を示す概略図である。
【図３】本発明の一実施形態に係るもので、オペレータ作成のドットパターンの一例である。
【図４】本発明の一実施形態に係るもので、オペレータ作成のドットパターン表示画面の一例である。
【図５】従来の置き換え規則設定画面の一例である。
【図６】本発明の一実施形態に係るもので、置き換えドットパターン一覧表示画面の一例である。
【図７】本発明の一実施形態に係るもので、縮小前置き換えドットパターンと縮小後置き換えドットパターンの一覧表示画面の一例である。
【図８】本発明の一実施形態に係るもので、ドットパターンの間引き縮小手段の一例である。
【符号の説明】
【００２７】
１…ノズル、２…ベルト、３…被印字物、５…印字物検知部、６…帯電電極、７…文字信号発生部、８…偏向電極、９…インク容器、１０…インク供給管、２０…供給ポンプ、２１…ガター、２２…回収管、２３…回収ポンプ、３０…制御部、３１…ＣＰＵ、３２…ＲＯＭ、３３…ＲＡＭ、３４…ＥＥＰＲＯＭ、４０…入力部、５０…表示部、６０…印字内容反映部、６１…印字内容記憶部。
【図１】
2007181958.tif 000003
【図２】
2007181958.tif 000004
【図３】
2007181958.tif 000005
【図４】
2007181958.tif 000006
【図５】
2007181958.tif 000007
【図６】
2007181958.tif 000008
【図７】
2007181958.tif 000009
【図８】
2007181958.tif 000010